【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】
ａ）  ０より多く１００重量％未満の重量のポリ（乳酸）ポリマー、
ｂ）  ポリブチレンサクシネートポリマー、ポリブチレンサクシネートアジペートポリマー、およびこれらのポリマーの混合物から成る群から選ばれる、０より多く１００重量％未満の重量のポリマー、および
ｃ）  約１０〜約４０の親水性−親油性平衡比を示し、０より多く約１５重量％までの重量の湿潤剤、
から成る熱可塑性組成物であって、すべての重量％は該熱可塑性組成物内に存在するポリ（乳酸）ポリマーと、ポリブチレンサクシネートポリマー、ポリブチレンサクシネートアジペートポリマー、およびこれらのポリマーの混合物から成る群から選ばれるポリマーと、湿潤剤の総重量に基づいていること、
を特徴とする熱可塑性組成物。
【請求項２】  ポリ（乳酸）ポリマーは約５重量％〜約９５重量％の重量で存在していること、ポリブチレンサクシネートポリマー、ポリブチレンサクシネートアジペートポリマー、およびこれらのポリマーの混合物から成る群から選ばれるポリマーは約５重量％〜約９５重量％の重量で存在していること、および湿潤剤は約０．５重量％〜約１５重量％の重量で存在していること、
を特徴とする請求項１に記載の熱可塑性組成物。
【請求項３】  ポリ（乳酸）ポリマーは約１０重量％〜約９０重量％の重量で存在していること、ポリブチレンサクシネートポリマー、ポリブチレンサクシネートアジペートポリマー、およびこれらのポリマーの混合物から成る群から選ばれるポリマーは約１０重量％〜約９０重量％の重量で存在していること、および湿潤剤は約１重量％〜約１３重量％の重量で存在していること、
を特徴とする請求項２に記載の熱可塑性組成物。
【請求項４】  湿潤剤は約１０〜約２０の親水性−親油性平衡比を示すこと、を特徴とする請求項１に記載の熱可塑性組成物。
【請求項５】  湿潤剤はエトキシレーテッドアルコールであること、
を特徴とする請求項１に記載の熱可塑性組成物。
【請求項６】  ポリ（乳酸）ポリマーは約７５重量％〜約９０重量％の重量で存在していること、ポリブチレンサクシネートポリマー、ポリブチレンサクシネートアジペートポリマー、およびこれらのポリマーの混合物から成る群から選ばれるポリマーは約５重量％〜約２０重量％の重量で存在していること、および湿潤剤はエトキソレーテッドアルコールであること、
を特徴とする請求項１に記載の熱可塑性組成物。
【請求項７】  熱可塑性組成物から作られた多成分繊維であって、前記熱可塑性組成物は、
ａ）  ０より多く１００重量％未満の重量のポリ（乳酸）ポリマー、
ｂ）  ポリブチレンサクシネートポリマー、ポリブチレンサクシネートアジペートポリマー、およびこれらのポリマーの混合物から成る群から選ばれる、０より多く１００重量％未満の重量のポリマー、および
ｃ）  約１０〜約４０の親水性−親油性平衡比を示し、０より多く約１５重量％までの重量の湿潤剤、
から成り、すべての重量％は前記熱可塑性組成物内に存在するポリ（乳酸）ポリマーと、ポリブチレンサクシネートポリマー、ポリブチレンサクシネートアジペートポリマー、およびこれらのポリマーの混合物から成る群から選ばれるポリマーと、湿潤剤の総重量に基づいていること、
前記多成分繊維は約８０°未満の前進接触角値と、約６０°未満の後退接触角値を示すこと、
を特徴とする多成分繊維。
【請求項８】  ポリ（乳酸）ポリマーは約５重量％〜約９５重量％の重量で存在していること、ポリブチレンサクシネートポリマー、ポリブチレンサクシネートアジペートポリマー、およびこれらのポリマーの混合物から成る群から選ばれるポリマーは約５重量％〜約９５重量％の重量で存在していること、および湿潤剤は約０．５重量％〜約１５重量％の重量で存在していること、
を特徴とする請求項７に記載の多成分繊維。
【請求項９】  湿潤剤は約１０〜約２０の親水性−親油性平衡比を示すこと、を特徴とする請求項７に記載の多成分繊維。
【請求項１０】  湿潤剤はエトキシレーテッドアルコールであること、
を特徴とする請求項７に記載の多成分繊維。
【請求項１１】  多成分繊維は約７５°未満の前進接触角値と、約５５°未満の後退接触角値を示すこと、
を特徴とする請求項７に記載の多成分繊維。
【請求項１２】  前進接触角値と後退接触角値との差は約３０°未満であること、
を特徴とする請求項７に記載の多成分繊維。
【請求項１３】  多成分繊維は約１５％未満の熱収縮値を示すこと、
を特徴とする請求項７に記載の多成分繊維。
【請求項１４】  ポリ（乳酸）ポリマーは約７５重量％〜約９０重量％の重量で存在していること、ポリブチレンサクシネートポリマー、ポリブチレンサクシネートアジペートポリマー、およびこれらのポリマーの混合物から成る群から選ばれるポリマーは約５重量％〜約２０重量％の重量で存在していること、および湿潤剤はエトキシレーテッドアルコールであること、前進接触角値と後退接触角値との差は約３０°未満であること、および多成分繊維は約１５％未満の熱収縮値を示すこと、
を特徴とする請求項７に記載の多成分繊維。
【請求項１５】  液体浸透性表面シート、前記表面シートに結合された裏シート、および前記表面シートと前記裏シートの間に置かれた吸収コアから成る使い捨て吸収製品であって、前記液体吸収性表面シートは熱可塑性組成物から作られた多成分繊維から成り、前記熱可塑性組成物は、
ａ）  ０より多く１００重量％未満の重量のポリ（乳酸）ポリマー、
ｂ）  ポリブチレンサクシネートポリマー、ポリブチレンサクシネートアジペートポリマー、およびこれらのポリマーの混合物から成る群から選ばれる、０より多く１００重量％未満の重量のポリマー、および
ｃ）  約１０〜約４０の親水性−親油性平衡比を示し、０より多く約１５重量％までの重量の湿潤剤、
から成り、すべての重量％は前記熱可塑性組成物内に存在するポリ（乳酸）ポリマーと、ポリブチレンサクシネートポリマー、ポリブチレンサクシネートアジペートポリマー、およびこれらのポリマーの混合物から成る群から選ばれるポリマーと、湿潤剤の総重量に基づいていること、
前記多成分繊維は約８０°未満の前進接触角値と約６０°未満の後退接触角値を示すこと、
を特徴とする使い捨て吸収製品。
【請求項１６】  ポリ（乳酸）ポリマーは約５重量％〜約９５重量％の重量で存在していること、ポリブチレンサクシネートポリマー、ポリブチレンサクシネートアジペートポリマー、およびこれらのポリマーの混合物から成る群から選ばれるポリマーは約５重量％〜約９５重量％の重量で存在していること、および湿潤剤は約０．５重量％〜約１５重量％の重量で存在していること、
を特徴とする請求項１５に記載の使い捨て吸収製品。
【請求項１７】  湿潤剤は約１０〜約２０の親水性−親油性平衡比を示すこと、
を特徴とする請求項１５に記載の使い捨て吸収製品。
【請求項１８】  湿潤剤はエトキシレーテッドアルコールであること、
を特徴とする請求項１５に記載の使い捨て吸収製品。
【請求項１９】  多成分繊維は約７５°未満の前進接触角値と約５５°未満の後退接触角値を示すこと、
を特徴とする請求項１５に記載の使い捨て吸収製品。
【請求項２０】  前進接触角値と後退接触角値との差は約３０°未満であること、
を特徴とする請求項１５に記載の使い捨て吸収製品。
【請求項２１】  多成分繊維は約１５％未満の熱収縮値を示すこと、
を特徴とする請求項１５に記載の使い捨て吸収製品。
【請求項２２】  ポリ（乳酸）ポリマーは約７５重量％〜約９０重量％の重量で存在していること、ポリブチレンサクシネートポリマー、ポリブチレンサクシネートアジペートポリマー、およびこれらのポリマーの混合物から成る群から選ばれるポリマーは約５重量％〜約２０重量％の重量で存在していること、湿潤剤はエトキシレーテッドアルコールであること、前進接触角値と後退接触角値との差は約３０°未満であること、および多成分繊維は約１５％未満の熱収縮値を示すこと、
を特徴とする請求項１５に記載の使い捨て吸収製品。